Podtech/llm-jp-corpus-v4-ja_patent huggingface dataset:
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
３次元画像を表示可能な表示部と、
前記表示部の表示画面上に設けられ、外部から接近してくる物体の領域および該表示画面までの距離を検出するとともに、該検出結果に応じた信号の入力を受け付けるタッチパネルと、
前記表示部が表示する前記３次元画像に対し、前記タッチパネルが所定の領域で受け付けた信号に応じて前記３次元画像が前記表示画面と直交する垂直な方向へ仮想的に飛び出す距離を設定する飛び出し設定部と、
前記飛び出し設定部が設定した前記３次元画像を前記表示部に表示させる制御を行う表示制御部と、
を備えたことを特徴とする表示装置。
【請求項２】
外部から入力された２つの画像データに対応する２つの画像に対し、所定の縦横比率で切出して前記３次元画像を生成する立体画像生成部と、
前記飛び出し設定部は、前記立体画像生成部による前記２つの画像データの切出す領域を変更することにより、前記３次元画像の前記飛び出す距離を設定することを特徴とする請求項１に記載の表示装置。
【請求項３】
前記飛び出し設定部は、前記タッチパネルが受け付けた信号に応じて、前記立体画像生成部による前記２つの画像データの切出す領域を変更することを特徴とする請求項２に記載の表示装置。
【請求項４】
前記飛び出し設定部は、前記立体画像生成部による前記２つの画像データの切出す領域を、前記２つの画像データに含まれる被写体の視差を小さくする方向に向けて段階的に変更することを特徴とする請求項３に記載の表示装置。
【請求項５】
前記表示制御部は、前記飛び出し設定部が設定した前記２つの画像データに対応する２つの画像を、前記表示画面における水平方向の１画素毎に交互に並べて前記表示部に出力する制御を行うことを特徴とする請求項２〜４のいずれか一つに記載の表示装置。
【請求項６】
異なる位置から撮影し、互いの視野の左右方向の一端部同士が重なりを有する２つの画像データを生成する撮像部をさらに備え、
前記立体画像生成部は、前記撮像部が生成した前記２つの画像データに対応する２つの画像に対し、所定の縦横比率で切出して前記３次元画像を生成することを特徴とする請求項２〜５のいずれか一つに記載の表示装置。
【請求項７】
前記表示部が表示する前記３次元画像に対し、前記タッチパネルが受け付けた信号に応じて前記撮像部の露出を調整する露出調整部をさらに備え、
前記表示制御部は、前記露出調整部が調整した前記３次元画像を前記表示部に表示させる制御を行うことを特徴とする請求項６に記載の表示装置。
【請求項８】
前記飛び出し設定部が設定した前記３次元画像の飛び出し距離を、前記２つの画像データのヘッダ情報として生成するヘッダ情報生成部と、
前記撮像部が生成する複数の画像データと前記ヘッダ情報生成部が生成するヘッダ情報とを対応付けて記憶する記憶部と、
をさらに備えたことを特徴とする請求項６に記載の表示装置。
【請求項９】
互いの視野の左右方向の一端部同士が重なりを有する２つの画像データを組み合わせて生成された３次元操作画像を所定の領域に表示する表示部と、
前記表示部の表示画面上に設けられ、外部から接近してくる物体の領域および該表示画面までの距離を検出するとともに、該検出結果に応じた信号の入力を受け付けるタッチパネルと、
前記表示部が表示する前記３次元操作画像に対し、前記タッチパネルが受け付けた信号によって指定された前記３次元操作画像の前記表示画面と直交する垂直な方向へ仮想的に飛び出す距離を設定する飛び出し設定部と、
前記飛び出し設定部が設定した前記３次元操作画像を前記表示部に表示させる制御を行う表示制御部と、
前記３次元操作画像の表示変化に応じて、前記表示部が表示する画像の３次元的な表示態様を変更させる制御を行う画像制御部と、
を備えたことを特徴とする表示装置。
【請求項１０】
異なる位置から撮影し、互いの視野の左右方向の一端部同士が重なりを有する２つの画像データを生成する撮像部をさらに備え、
前記表示制御部は、前記撮像部が撮影した前記２つの画像データに対応する画像を、前記表示画面における水平方向の１画素毎に交互に並べて前記表示部に出力し、
前記画像制御部は、前記撮像部が撮影した前記２つの画像データに対応する画像の３次元的な表示態様を変更することを特徴とする請求項９に記載の表示装置。
【請求項１１】
３次元画像を表示可能な表示部と、前記表示部の表示画面上に設けられたタッチパネルと、を備えた表示装置が実行する表示方法であって、
外部から前記タッチパネルに接近してくる物体の領域および前記表示画面までの距離を検出するとともに、該検出結果に応じた信号の入力を受け付ける受付ステップと、
前記表示部が表示する前記３次元画像に対し、前記受付ステップで前記タッチパネルの所定の領域で受け付けた信号に応じて前記３次元画像が前記表示画面と直交する垂直な方向へ仮想的に飛び出す距離を設定する飛び出し設定ステップと、
前記飛び出し設定ステップで設定した前記３次元画像を前記表示部に表示させる制御を行う表示制御ステップと、
を含むことを特徴とする表示方法。
【請求項１２】
３次元画像を表示可能な表示部と、前記表示部の表示画面上に設けられたタッチパネルと、を備えた表示装置に、
外部から前記タッチパネルに接近してくる物体の領域および前記表示画面までの距離を検出するとともに、該検出結果に応じた信号の入力を受け付ける受付ステップと、
前記表示部が表示する前記３次元画像に対し、前記受付ステップで前記タッチパネルの所定の領域で受け付けた信号に応じて前記３次元画像が前記表示画面と直交する垂直な方向へ仮想的に飛び出す距離を設定する飛び出し設定ステップと、
前記飛び出し設定ステップで設定した前記３次元画像を前記表示部に表示させる制御を行う表示制御ステップと、
を実行させることを特徴とするプログラム。
【手続補正書】
【提出日】平成25年4月25日(2013.4.25)
【手続補正１】
【補正対象書類名】明細書
【補正対象項目名】００９９
【補正方法】変更
【補正の内容】
【００９９】
１  比重測定装置
２  試料
３  液槽
４  重量測定器
５  架台
６  試料吊り下げ部（測定器側保持部）
７  測定器側アーム
８  試料運搬機
９  蒸留水
１０  液温測定部
１１  測定器側アーム固定板
１２  測定器側アーム保持部
１３  内枠
１４  外枠
１５  排水口
１６  運搬機側アーム
１７  運搬機側アーム固定板
１８  運搬機側アーム保持部
１９  回転機構
２０  計量台
２１  ロック部
２２  ガイド
２３  ガイドローラ
２４  ロックピン
２５  ロックピン固定治具
２５ａ  フック
２５ｂ  フックガイド
２６  ロックピン逃がし治具
２６ａ  第１ガイド部
２６ｂ  第２ガイド部
２７  昇降用支柱
２８  試料吊り下げ部水平支柱
２９  試料吊り下げ部垂直支柱
３０  蒸留水供給管
３１  圧縮空気管
３２  吸引ノズル
３３  車輪
３４  スペーサ
３５  アームストッパ
３６  ネジ
３７  ナット
３８  軸
３９  軸
４０  補強板
４１  ストッパ
４２  昇降機ツメ挿入位置
４３  マイタギヤ
４４  手動回転ハンドル
４５  回転軸
４６  凹部
４７  枕木
５０  昇降機構
５１  固定板保持部
【手続補正書】
【提出日】平成25年7月5日(2013.7.5)
【手続補正１】
【補正対象書類名】特許請求の範囲
【補正対象項目名】全文
【補正方法】変更
【補正の内容】
【特許請求の範囲】
【請求項１】
不揮発性の第１のメモリーからセンサーに関連付けられるパラメーターを読み出して第２のメモリーに書き込んだ後、前記第１のメモリーから前記パラメーターを読み出して前記第２のメモリーに上書きするリフレッシュ処理を行うメモリー制御部を含む、センシング装置。
【請求項２】
請求項１において、
前記第２のメモリーに書き込まれた前記パラメーターを用いて、前記センサーの信号処理を行う処理部を含む、センシング装置。
【請求項３】
請求項１または２において、
前記センシング装置は、レジスター部を含み、
前記メモリー制御部は、前記レジスター部から前記リフレッシュ処理を行う周期に関するリフレッシュ周期情報を受け取り、当該リフレッシュ周期情報に応じた周期で前記リフレッシュ処理を行う、センシング装置。
【請求項４】
請求項３において、
前記センシング装置は、前記センサーの出力データを外部装置に出力する出力部を含み、
前記リフレッシュ処理の周期が、前記出力データを前記外部装置がサンプリングする周期以下である、センシング装置。
【請求項５】
請求項１乃至４のいずれか一項において、
前記メモリー制御部は、
前記センサーの出力データを閾値と比較し、比較結果に基づいて前記リフレッシュ処理を行う、センシング装置。
【請求項６】
請求項５において、
前記メモリー制御部は、前記リフレッシュ処理を行うか否かを判定する判定時間が設けられ、
前記比較結果において、前記判定時間において前記センサーの出力データが前記閾値より大きい場合に前記リフレッシュ処理を行う、センシング装置。
【請求項７】
請求項５または６において、
前記メモリー制御部は、
前記比較結果が第１の比較結果であれば、前記リフレッシュ処理を開始し、前記比較結果が第２の比較結果になるまで前記リフレッシュ処理を行う、センシング装置。
【請求項８】
請求項１または２において、
前記メモリー制御部は、
前記第１のメモリーから前記パラメーターを読み出し、且つ前記第２のメモリーから前記パラメーターを読み出して、両者が一致するか否かを判定する判定処理を行い、一致しない場合に前記リフレッシュ処理を行う、センシング装置。
【請求項９】
請求項８において、
前記第１のメモリーには、複数の前記パラメーターが記憶され、
前記メモリー制御部は、
前記複数のパラメーターの少なくとも一つについて前記判定処理を行い、一致しないパラメーターが見つかった場合には、残りのパラメーターについては前記判定処理を行わずにすべてのパラメーターについて前記リフレッシュ処理を行う、センシング装置。
【請求項１０】
請求項８において、
前記第１のメモリーには、複数の前記パラメーターが記憶され、
前記メモリー制御部は、
前記複数のパラメーターの各々について前記判定処理を行い、一致しないパラメーターについて前記リフレッシュ処理を行う、センシング装置。
【請求項１１】
請求項１乃至１０のいずれか一項において、
前記メモリー制御部は、
前記リフレッシュ処理を許可するか否かに関するリフレッシュ許可情報を受け取り、当該リフレッシュ許可情報により前記リフレッシュ処理が許可されている場合に前記リフレッシュ処理を行う、センシング装置。
【請求項１２】
請求項１乃至１１のいずれか一項に記載のセンシング装置を含む、電子機器。
【手続補正２】
【補正対象書類名】明細書
【補正対象項目名】０００７
【補正方法】変更
【補正の内容】
【０００７】
（１）本発明は、センサーと、前記センサーに関連付けられるパラメーターを記憶した不揮発性の第１のメモリーと、第２のメモリーと、前記第１のメモリーから前記パラメーターを読み出して前記第２のメモリーに書き込んだ後、所与のタイミングで、前記第１のメモリーから前記パラメーターを読み出して前記第２のメモリーに上書きするリフレッシュ処理を行うメモリー制御部と、前記第２のメモリーに書き込まれた前記パラメーターに基づいて、前記センサーの信号処理を行う処理部と、を含む、センシング装置である。また他の態様では、不揮発性の第１のメモリーからセンサーに関連付けられるパラメーターを読み出して第２のメモリーに書き込んだ後、前記第１のメモリーから前記パラメーターを読み出して前記第２のメモリーに上書きするリフレッシュ処理を行うメモリー制御部を含むセンシング装置である。さらに、前記第２のメモリーに書き込まれた前記パラメーターを用いて、前記センサーの信号処理を行う処理部を含んでもよい。
【手続補正３】
【補正対象書類名】明細書
【補正対象項目名】００２２
【補正方法】変更
【補正の内容】
【００２２】
（５）このセンシング装置において、前記メモリー制御部は、前記比較結果において、
所与の時間にわたって前記センサーの検出値が前記閾値より大きい状態が継続する場合に
前記リフレッシュ処理を行うようにしてもよい。また、他の態様では、前記メモリー制御部は、前記リフレッシュ処理を行うか否かを判定する判定時間が設けられ、前記比較結果において、前記判定時間において前記センサーの出力データが前記閾値より大きい場合に前記リフレッシュ処理を行っても良い。
【手続補正書】
【提出日】平成25年3月29日(2013.3.29)
【手続補正１】
【補正対象書類名】特許請求の範囲
【補正対象項目名】全文
【補正方法】変更
【補正の内容】
【特許請求の範囲】
【請求項１】
所定の送信周期で高周波送信信号を送信アンテナから送信し、ターゲットに反射された反射波の信号を受信アンテナで受信するレーダ装置であって、
所定の符号長の符号系列を分割したサブ符号長を有する第１、第２サブ符号系列と、前記第１、第２サブ符号系列にそれぞれ２種類の異なる係数を乗じた第３、第４、第５、第６サブ符号系列とのうち、第１送信周期では、前記第３サブ符号系列と前記第４サブ符号系列とを連結した符号を変調した第１の送信信号を生成し、第２送信周期では、前記第５サブ符号系列と前記第６サブ符号系列とを連結した符号を変調した第２の送信信号を生成する送信信号生成部と、
前記送信信号生成部により生成された第１及び第２の送信信号を高周波送信信号に変換し、前記送信アンテナから送信する送信ＲＦ部と、
を備えることを特徴とするレーダ装置。
【請求項２】
請求項１記載のレーダ装置であって、更に、
前記受信アンテナで受信した前記反射波の信号をベースバンド帯域の受信信号に変換する受信ＲＦ部と、
前記第１送信周期又は前記第２送信周期に同期して、前記送信信号生成部により生成された送信信号と同一の前記第３、第４、第５及び第６サブ符号系列を含む第１及び第２の基準送信信号を生成する基準送信信号生成部と、
前記第１送信周期では、第１の受信信号と前記第１の基準送信信号に含まれる前記第３サブ符号系列との第１相関値、及び前記第１の受信信号と前記第１の基準送信信号に含まれる前記第４サブ符号系列との第２相関値を演算し、前記第２送信周期では、第２の受信信号と前記第２の基準送信信号に含まれる前記第５サブ符号系列との第３相関値、及び前記第２の受信信号と前記第２の基準送信信号に含まれる前記第６サブ符号系列との第４相関値を演算する複素相関値演算部と、
前記第１相関値と前記第２相関値とを等しくする第１補正係数を演算し、前記第３相関値と、前記第４相関値とを等しくする第２補正係数を演算し、前記第１補正係数を用いて補正した前記第１の相関値及び前記第２の相関値を加算した第５相関値を演算し、前記第２の補正係数を用いて補正した前記第３の相関値と前記第４の相関値を加算した第６相関値を演算するＩＱ補正部と、
を備えることを特徴とするレーダ装置。
【請求項３】
請求項２に記載のレーダ装置であって、
前記ＩＱ補正部により演算された第５相関値及び第６相関値に基づいて、
当該第６相関値の演算における前記第２送信周期を前記第５相関値の演算における前記第１送信周期にシフトし、当該シフトされた前記第６相関値と当該第５相関値とを加算演算する平均化処理部と、
を更に備えることを特徴とするレーダ装置。
【請求項４】
請求項３に記載のレーダ装置であって、
前記平均化処理部による加算演算結果に基づいて、前記ターゲットの到来角度又は距離を演算する到来角度距離推定部と、
を更に備えることを特徴とするレーダ装置。
【請求項５】
請求項１〜４のうちいずれか一項に記載のレーダ装置であって、
前記受信ＲＦ部により変換された受信信号の同相信号のレベルを、前記送信周期のうち非送信区間の開始タイミングからの経過時間に応じたゲインで増幅する第１ＡＧＣ部と、
前記受信ＲＦ部により変換された受信信号の直交信号のレベルを、前記送信周期のうち前記非送信区間の開始タイミングからの経過時間に応じたゲインで増幅する第２ＡＧＣ部と、を更に備えることを特徴とするレーダ装置。
【請求項６】
請求項５に記載のレーダ装置であって、
前記第１ＡＧＣ部により増幅された同相信号をデジタルデータに変換する第１Ａ／Ｄ変換部と、
前記第２ＡＧＣ部により増幅された直交信号をデジタルデータに変換する第２Ａ／Ｄ変換部と、を更に備えることを特徴とするレーダ装置。
【請求項７】
請求項１〜６のうちいずれか一項に記載のレーダ装置であって、
前記第３サブ符号系列と前記第４サブ符号系列とが連結された符号系列を記憶する第１符号系列記憶部と、
前記第５サブ符号系列と前記第６サブ符号系列とが連結された符号系列を記憶する第２符号系列記憶部と、を更に有し、
前記送信信号生成部は、前記第１、第２符号系列記憶部に記憶されている各符号系列をそれぞれ変調して前記送信信号を生成することを特徴とするレーダ装置。
【請求項８】
請求項３に記載のレーダ装置であって、
前記平均化処理部により加算演算された相関値の演算における前記第１送信周期と前記第２送信周期とを基準送信周期として、複数回の基準送信周期における加算相関値に基づいて、前記ターゲットの移動に伴って前記反射波の信号における位相回転量を測定する位相回転量演算部と、
前記位相回転量演算部により演算された位相回転量に基づいて、前記ターゲットの移動に伴って前記反射波の信号に生じるドップラ周波数を推定するドップラ周波数推定部と、を更に備えることを特徴とするレーダ装置。
【請求項９】
請求項１〜８のうちいずれか一項に記載のレーダ装置であって、
前記所定の符号長の符号系列は、相補符号であることを特徴とするレーダ装置。
【請求項１０】
請求項１に記載のレーダ装置であって、
前記第３サブ符号系列に乗算される係数は、１であり、
前記第４サブ符号系列に乗算される係数は、複素系列ｊであり、
前記第５サブ符号系列に乗算される係数は、複素系列ｊであり、
前記第６サブ符号系列に乗算される係数は、１であることを特徴とするレーダ装置。
【請求項１１】
請求項１に記載のレーダ装置であって、
前記第３サブ符号系列に乗算される係数は、複素系列ｊであり、
前記第４サブ符号系列に乗算される係数は、−１であり、
前記第５サブ符号系列に乗算される係数は、−１であり、
前記第６サブ符号系列に乗算される係数は、複素系列ｊであることを特徴とするレーダ装置。
【請求項１２】
請求項１に記載のレーダ装置であって、
前記第３サブ符号系列に乗算される係数は、−１であり、
前記第４サブ符号系列に乗算される係数は、反転した複素系列−ｊであり、
前記第５サブ符号系列に乗算される係数は、反転した複素系列−ｊであり、
前記第６サブ符号系列に乗算される係数は、−１であることを特徴とするレーダ装置。
【請求項１３】
請求項１に記載のレーダ装置であって、
前記第３サブ符号系列に乗算される係数は、複素系列ｊであり、
前記第４サブ符号系列に乗算される係数は、１であり、
前記第５サブ符号系列に乗算される係数は、１であり、
前記第６サブ符号系列に乗算される係数は、複素系列ｊであることを特徴とするレーダ装置。
【請求項１４】
請求項１に記載のレーダ装置であって、
前記第３サブ符号系列に乗算される係数は、反転した複素系列−ｊであり、
前記第４サブ符号系列に乗算される係数は、−１であり、
前記第５サブ符号系列に乗算される係数は、−１であり、
前記第６サブ符号系列に乗算される係数は、反転した複素系列−ｊであることを特徴とするレーダ装置。
【請求項１５】
請求項１に記載のレーダ装置であって、
前記第３サブ符号系列に乗算される係数は、−１であり、
前記第４サブ符号系列に乗算される係数は、複素系列ｊであり、
前記第５サブ符号系列に乗算される係数は、複素系列ｊであり、
前記第６サブ符号系列に乗算される係数は、−１であることを特徴とするレーダ装置。
【手続補正書】
【提出日】平成25年1月29日(2013.1.29)
【手続補正１】
【補正対象書類名】特許請求の範囲
【補正対象項目名】請求項１
【補正方法】変更
【補正の内容】
【請求項１】
測定変位に応じた位置情報を出力する位置検出装置において、
測定対象物の変位に伴い正弦波状に変化するとともに互いに位相が９０度異なる２つの信号を出力する位置センサと、
前記位置センサからの出力信号に含まれるオフセット成分を、当該出力信号から除去するオフセット成分除去手段と
前記オフセット成分除去後の２つの信号を位置情報に変換する内挿演算手段と、
前記位置センサからの２つの信号又は、前記オフセット成分除去後の２つの信号の自乗和の平方根を演算する半径演算手段と、
前記半径演算手段の出力の変動成分と前記位置センサからの２つの信号とをそれぞれ乗算する相関演算手段と、
前記相関演算手段の出力値のＤＣ成分を抽出するＤＣ成分抽出手段と、
前記ＤＣ成分抽出手段の出力値に基づいて、オフセット変位分を含んだオフセット成分を出力する手段と、
を備えることを特徴とする位置検出装置。
【手続補正書】
【提出日】平成25年10月29日(2013.10.29)
【手続補正１】
【補正対象書類名】明細書
【補正対象項目名】０００７
【補正方法】変更
【補正の内容】
【０００７】
そこで、本発明の目的は、フォルダの階層情報を用いて、絞り込み検索する絞込情報を表示し、ファイルの検索を容易にする仕組みを提供することである。
【手続補正２】
【補正対象書類名】明細書
【補正対象項目名】０００８
【補正方法】変更
【補正の内容】
【０００８】
本発明の目的を達成するために、ファイルを検索することが可能な情報処理装置であって、フォルダの識別情報により構成されるフォルダの階層情報を記憶する階層情報記憶手段と、前記フォルダを特定するための入力情報を受け付ける入力受付手段と、前記入力受付手段で受け付けた入力情報に従って特定されたフォルダの階層に分類されるファイルを検索する検索手段と、前記入力受付手段で受け付けた入力情報に従って特定されたフォルダの識別情報が含まれる階層情報より、フォルダの識別情報を取得する識別情報取得手段と、前記検索手段で検索したファイルの絞り込みを可能にすべく、前記識別情報取得手段で取得したフォルダの識別情報を、ファイルを絞り込みする絞込情報として表示する表示手段とを備えることを特徴とする。
【手続補正３】
【補正対象書類名】明細書
【補正対象項目名】０００９
【補正方法】変更
【補正の内容】
【０００９】
本発明によれば、フォルダの階層情報を用いて、絞り込み検索する絞込情報を表示し、ファイルの検索を容易にすることができる。
【手続補正４】
【補正対象書類名】特許請求の範囲
【補正対象項目名】全文
【補正方法】変更
【補正の内容】
【特許請求の範囲】
【請求項１】
ファイルを検索することが可能な情報処理装置であって、
フォルダの識別情報により構成されるフォルダの階層情報を記憶する階層情報記憶手段と、
前記フォルダを特定するための入力情報を受け付ける入力受付手段と、
前記入力受付手段で受け付けた入力情報に従って特定されたフォルダの階層に分類されるファイルを検索する検索手段と、
前記入力受付手段で受け付けた入力情報に従って特定されたフォルダの識別情報が含まれる階層情報より、フォルダの識別情報を取得する識別情報取得手段と、
前記検索手段で検索したファイルの絞り込みを可能にすべく、前記識別情報取得手段で取得したフォルダの識別情報を、ファイルを絞り込みする絞込情報として表示する表示手段と
を備えることを特徴とする情報処理装置。
【請求項２】
ユーザの操作により前記絞込情報から所定の絞込情報を選択する選択手段を更に備え、
前記検索手段は、前記選択手段で選択された絞込情報を用いて、前記検索されたファイルの絞込検索をすることを特徴とする請求項１に記載の情報処理装置。
【請求項３】
前記表示手段は、前記選択手段で所定の絞込情報を選択した場合、当該選択された絞込情報に従って選択可能な絞込情報と、選択不可能な絞込情報を識別可能に表示することを特徴とする請求項２に記載の情報処理装置。
【請求項４】
前記表示手段は、前記特定されたフォルダの上位階層のフォルダと、下位階層のフォルダに従って、前記絞込情報を分類表示することを特徴とする請求項１乃至４のいずれか１項に記載の情報処理装置。
【請求項５】
前記表示手段は、前記検索手段で検索された結果を表示することを特徴とする請求項１乃至５のいずれか１項に記載の情報処理装置。
【請求項６】
前記識別情報はファイル名であり、前記階層情報はフォルダのパスであることを特徴とする請求項１乃至６のいずれか１項に記載の情報処理装置。
【請求項７】
フォルダの識別情報により構成されるフォルダの階層情報を記憶する階層情報記憶手段を備える、ファイルを検索することが可能な情報処理装置の処理方法であって、
前記フォルダを特定するための入力情報を受け付ける入力受付ステップと、
前記入力受付ステップで受け付けた入力情報に従って特定されたフォルダの階層に分類されるファイルを検索する検索ステップと、
前記入力受付ステップで受け付けた入力情報に従って特定されたフォルダの識別情報が含まれる階層情報より、フォルダの識別情報を取得する識別情報取得ステップと、
前記検索ステップで検索したファイルの絞り込みを可能にすべく、前記識別情報取得ステップで取得したフォルダの識別情報を、ファイルを絞り込みする絞込情報として表示する表示ステップと
を含むことを特徴とする処理方法。
【請求項８】
ファイルを検索することが可能な情報処理装置のプログラムであって、
前記情報処理装置を、
フォルダの識別情報により構成されるフォルダの階層情報を記憶する階層情報記憶手段と、
前記フォルダを特定するための入力情報を受け付ける入力受付手段と、
前記入力受付手段で受け付けた入力情報に従って特定されたフォルダの階層に分類されるファイルを検索する検索手段と、
前記入力受付手段で受け付けた入力情報に従って特定されたフォルダの識別情報が含まれる階層情報より、フォルダの識別情報を取得する識別情報取得手段と、
前記検索手段で検索したファイルの絞り込みを可能にすべく、前記識別情報取得手段で取得したフォルダの識別情報を、ファイルを絞り込みする絞込情報として表示する表示手段
として機能させることを特徴とするプログラム。
【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
パイプライン接続され、画像データを処理するデータ処理装置であって、
データを記憶する複数のバッファ部と、
前記複数のバッファ部を排他的に制御して、入力されたデータを、前記複数のバッファ部のいずれか１つのバッファ部に書き込むデータ書き込み制御部と、
前記複数のバッファ部を排他的に制御して、出力するデータを、前記複数のバッファ部のいずれか１つのバッファ部から読み出すデータ読み出し制御部と、
を備え、
前記データ書き込み制御部は、
前記入力されたデータの書き込みが完了したときに、データの書き込みが完了したことを表すデータ書き込み完了信号を出力し、
前記データ読み出し制御部は、
前記出力するデータの読み出しが完了したときに、データの読み出しが完了したことを表すデータ読み出し完了信号を出力する、
ことを特徴とするデータ処理装置。
【請求項２】
前記データ書き込み制御部は、
該データ書き込み制御部が、前記複数のバッファ部にデータを書き込んだ回数と、予め設定されたデータの書き込み回数とに基づいて、データの書き込みが完了したことを判定し、
前記データ読み出し制御部は、
該データ読み出し制御部が、前記複数のバッファ部からデータを読み出した回数と、予め設定されたデータの読み出し回数とに基づいて、データの読み出しが完了したことを判定する、
ことを特徴とする請求項１に記載のデータ処理装置。
【請求項３】
前記複数のバッファ部の情報を保持するバッファ情報通知部、
をさらに備え、
前記バッファ情報通知部に保持するバッファ部の情報は、
前記複数のバッファ部のそれぞれが、データの書き込みが可能であるか、またはデータの読み出しが可能であるかを表すバッファ情報と、
前記複数のバッファ部の内、どのバッファ部にデータを書き込むかを表すデータ書き込み情報と、
前記複数のバッファ部の内、どのバッファ部からデータを読み出すかを表すデータ読み出し情報と、
を含み、
前記データ書き込み制御部は、
前記バッファ情報通知部に保持された前記データ書き込み情報に基づいて、データを書き込むバッファ部を決定し、該決定したバッファ部に対応する前記バッファ情報に基づいて入力されたデータの書き込みを行い、
前記データ読み出し制御部は、
前記バッファ情報通知部に保持された前記データ読み出し情報に基づいて、データを読み出すバッファ部を決定し、該決定したバッファ部に対応する前記バッファ情報に基づいて出力するデータの読み出しを行う、
ことを特徴とする請求項２に記載のデータ処理装置。
【請求項４】
前記データ書き込み制御部は、
前記決定したバッファ部へのデータの書き込みが完了したときに、該決定したバッファ部に対応する前記バッファ情報と、前記データ書き込み情報とを変更し、
前記データ読み出し制御部は、
前記決定したバッファ部からデータの読み出しが完了したときに、該決定したバッファ部に対応する前記バッファ情報と、前記データ読み出し情報とを変更する、
ことを特徴とする請求項３に記載のデータ処理装置。
【請求項５】
パイプライン接続され、画像データを処理するデータ処理装置であって、データを記憶する複数のバッファ部と、前記複数のバッファ部を排他的に制御して、入力されたデータを、前記複数のバッファ部のいずれか１つのバッファ部に書き込むデータ書き込み制御部と、前記複数のバッファ部を排他的に制御して、出力するデータを、前記複数のバッファ部のいずれか１つのバッファ部から読み出すデータ読み出し制御部と、を有し、前記データ書き込み制御部によって前記入力されたデータの書き込みが完了したときに、データの書き込みが完了したことを表すデータ書き込み完了信号と、前記データ読み出し制御部によって前記出力するデータの読み出しが完了したときに、データの読み出しが完了したことを表すデータ読み出し完了信号と、をそれぞれ出力するデータ処理装置、
を備え、
前記データ書き込み完了信号が出力された後に、前記データ書き込み制御部による画像データの書き込みに係る設定を行い、
前記データ読み出し完了信号が出力された後に、前記データ読み出し制御部による画像データの読み出しに係る設定を行う、
ことを特徴とする画像処理装置。
【手続補正２】
【補正対象書類名】明細書
【補正対象項目名】００１１
【補正方法】変更
【補正の内容】
【００１１】
上記の課題を解決するため、本発明のデータ処理装置は、パイプライン接続され、画像データを処理するデータ処理装置であって、データを記憶する複数のバッファ部と、前記複数のバッファ部を排他的に制御して、入力されたデータを、前記複数のバッファ部のいずれか１つのバッファ部に書き込むデータ書き込み制御部と、前記複数のバッファ部を排他的に制御して、出力するデータを、前記複数のバッファ部のいずれか１つのバッファ部から読み出すデータ読み出し制御部と、を備え、前記データ書き込み制御部は、前記入力されたデータの書き込みが完了したときに、データの書き込みが完了したことを表すデータ書き込み完了信号を出力し、前記データ読み出し制御部は、前記出力するデータの読み出しが完了したときに、データの読み出しが完了したことを表すデータ読み出し完了信号を出力する、ことを特徴とする。
【手続補正３】
【補正対象書類名】明細書
【補正対象項目名】００１５
【補正方法】変更
【補正の内容】
【００１５】
また、本発明の画像処理装置は、パイプライン接続され、画像データを処理するデータ処理装置であって、データを記憶する複数のバッファ部と、前記複数のバッファ部を排他的に制御して、入力されたデータを、前記複数のバッファ部のいずれか１つのバッファ部に書き込むデータ書き込み制御部と、前記複数のバッファ部を排他的に制御して、出力するデータを、前記複数のバッファ部のいずれか１つのバッファ部から読み出すデータ読み出し制御部と、を有し、前記データ書き込み制御部によって前記入力されたデータの書き込みが完了したときに、データの書き込みが完了したことを表すデータ書き込み完了信号と、前記データ読み出し制御部によって前記出力するデータの読み出しが完了したときに、データの読み出しが完了したことを表すデータ読み出し完了信号と、をそれぞれ出力するデータ処理装置、を備え、前記データ書き込み完了信号が出力された後に、前記データ書き込み制御部による画像データの書き込みに係る設定を行い、前記データ読み出し完了信号が出力された後に、前記データ読み出し制御部による画像データの読み出しに係る設定を行う、ことを特徴とする。
【手続補正書】
【提出日】平成25年9月18日(2013.9.18)
【手続補正１】
【補正対象書類名】特許請求の範囲
【補正対象項目名】全文
【補正方法】変更
【補正の内容】
【特許請求の範囲】
【請求項１】
印刷データを管理するサーバと、前記印刷データに基づき印刷するプリンタとに接続可能な情報処理装置であって、
前記サーバから前記印刷データを受信する受信手段と、
前記受信手段により受信された前記印刷データを前記プリンタに第１のデータサイズずつ転送する転送制御手段と、
前記サーバと前記情報処理装置との間の接続断を検出する検出手段とを備え、
前記転送制御手段は、前記検出手段により前記接続断が検出されると、前記印刷データを前記プリンタに、前記第１のデータサイズより小さい第２のデータサイズずつ転送することを特徴とする情報処理装置。
【請求項２】
前記受信手段により受信済みの前記印刷データのサイズが閾値より小さいか否かを判定する判定手段をさらに備え、
前記判定手段により、前記受信手段により受信済みの前記印刷データのサイズが前記閾値より小さいと判定された場合に、前記転送制御手段は、前記印刷データを前記プリンタに、前記第２のデータサイズずつ転送することを特徴とする請求項１に記載の情報処理装置。
【請求項３】
前記検出手段により前記接続断が検出されると、前記サーバと前記情報処理装置との間の再接続を行う再接続手段と、
前記再接続手段により再接続が行われると、前記接続断の検出までに前記受信手段により受信済みの前記印刷データに後続する前記印刷データを前記情報処理装置に送信するように、前記サーバに要求する要求手段と
をさらに備えることを特徴とする請求項１又は２に記載の情報処理装置。
【請求項４】
前記印刷データはフィニッシングが設定されていることを特徴とする請求項３に記載の情報処理装置。
【請求項５】
印刷データを管理するサーバと、前記印刷データに基づき印刷するプリンタとに接続可能な情報処理装置において実行される印刷データ処理方法であって、
前記情報処理装置の受信手段が、前記サーバから前記印刷データを受信する受信工程と、
前記情報処理装置の転送制御手段が、前記受信工程において受信された前記印刷データを前記プリンタに第１のデータサイズずつ転送する転送制御工程と、
前記情報処理装置の検出手段が、前記サーバと前記情報処理装置との間の接続断を検出する検出工程とを有し、
前記転送制御工程は、前記検出工程において前記接続断が検出されると、前記印刷データを前記プリンタに、前記第１のデータサイズより小さい第２のデータサイズずつ転送することを特徴とする印刷データ処理方法。
【請求項６】
印刷データを管理するサーバと、前記印刷データに基づき印刷するプリンタとに接続可能な情報処理装置の、
前記サーバから前記印刷データを受信する受信手段、
前記受信手段により受信された前記印刷データを前記プリンタに第１のデータサイズずつ転送する転送制御手段、
前記サーバと前記情報処理装置との間の接続断を検出する検出手段、としてコンピュータを機能させるプログラムであって、
前記転送制御手段は、前記検出手段により前記接続断が検出されると、前記印刷データを前記プリンタに、前記第１のデータサイズより小さい第２のデータサイズずつ転送することを特徴とするプログラム。
【手続補正書】
【提出日】平成25年10月17日(2013.10.17)
【手続補正１】
【補正対象書類名】特許請求の範囲
【補正対象項目名】全文
【補正方法】変更
【補正の内容】
【特許請求の範囲】
【請求項１】
表示部におけるオブジェクトの位置の指示を入力するためにユーザにより発生された風について、複数位置における前記風に関する物理量をそれぞれ検出する風検出手段と、
前記風検出手段により検出された各物理量に基づいて、前記ユーザにより指示された前記オブジェクトの位置を算出する位置算出手段と、
を備える位置入力装置。
【請求項２】
前記風検出手段は、前記表示部の各端縁のそれぞれ対向する位置における風に関する物理量をそれぞれ検出し、
前記位置算出手段は、前記風検出手段により検出された、前記対向する位置における各物理量の差分を演算し、前記差分に基づいてオブジェクトの位置を算出する、
請求項１に記載の位置入力装置。
【請求項３】
前記位置算出手段は、前記風検出手段により検出された各物理量の分布を求め、前記分布に基づいてオブジェクトの位置を算出する、
請求項１に記載の位置入力装置。
【請求項４】
前記表示部において、前記位置算出手段により算出された前記位置に、カーソルを移動させる制御を実行するカーソル制御手段をさらに備える、
請求項１乃至３の何れか１項に記載の位置入力装置。
【請求項５】
前記カーソル制御手段は、さらに、前記風検出手段により取得された風の物理量の強さに基づいて、カーソルの位置を移動する速度の制御を実行する、
請求項４に記載の位置入力装置。
【請求項６】
音を検出する音検出手段と、
前記音検出手段によって検出された第１の音の音量に応じて、前記風検出手段の検出の感度を設定する感度設定手段と、
をさらに備える請求項４又は５に記載の位置入力装置。
【請求項７】
前記カーソル制御手段は、さらに、前記音検出手段によって前記第１の音とは異なる第２の音が検出された場合に、前記カーソルが指し示すオブジェクトを選択するクリック入力がなされたと判断する制御を実行する、
請求項６に記載の位置入力装置。
【請求項８】
前記第１の音と前記第２の音とは、それぞれ周波数が異なる音である、
請求項７に記載の位置入力装置。
【請求項９】
表示部におけるオブジェクトの移動先の位置を算出する制御を実行する位置入力装置の位置入力方法であって、
表示部におけるオブジェクトの位置の指示を入力するためにユーザにより発生された風について、複数位置における前記風に関する物理量をそれぞれ検出する風検出ステップと、
前記風検出ステップにより検出された各物理量に基づいて、前記ユーザにより指示された前記オブジェクトの位置を算出する位置算出ステップと、
を含む位置入力方法。
【請求項１０】
表示部におけるオブジェクトの移動先の位置を算出する制御を実行する移動先算出手段を備える位置入力装置を制御するコンピュータに、
表示部におけるオブジェクトの位置の指示を入力するためにユーザにより発生された風について、複数位置における前記風に関する物理量をそれぞれ検出する風検出機能と、
前記風検出機能により検出された各物理量に基づいて、前記ユーザにより指示された前記オブジェクトの位置を算出する位置算出機能と、
を実現させるプログラム。
【手続補正２】
【補正対象書類名】明細書
【補正対象項目名】０００６
【補正方法】変更
【補正の内容】
【０００６】
上記目的を達成するため、請求項１に記載の発明は、
表示部におけるオブジェクトの位置の指示を入力するためにユーザにより発生された風について、複数位置における前記風に関する物理量をそれぞれ検出する風検出手段と、
前記風検出手段により検出された各物理量に基づいて、前記ユーザにより指示された前記オブジェクトの位置を算出する位置算出手段と、
を備える位置入力装置を提供する。
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
基材と、
前記基材の外表面上、または前記基材の内部に位置する第１測定点における温度を第１温度として測定する第１温度センサーと、
前記基材の外表面上、または前記基材の内部に位置し、かつ前記第１測定点とは異なる第２測定点における温度を第２温度として測定する第２温度センサーと、
前記基材の周囲の温度を第３温度として取得する周囲温度取得部と、
前記基材に設けられた熱流制御部と、
演算部と、
を備え、
前記熱流制御部は、前記基材とは異なる熱伝導率の材料層を有し、かつ前記材料層の温度を可変に制御する温度制御部を有し、
前記演算部は、前記第１温度、前記第２温度、および前記第３温度に基づいて、被測定体の深部温度を求める、
ことを特徴とする温度測定装置。
【請求項２】
請求項１記載の温度測定装置であって、
前記温度制御部は、ペルチエ素子であり、
前記ペルチエ素子が、前記熱流制御部に接触している、
ことを特徴とする温度測定装置。
【請求項３】
請求項１又は２に記載の温度測定装置であって、
前記第１温度が、前記第２温度ならびに前記第３温度を変数とし、かつ、複数の定数を含む関数により表されるとき、前記演算部は、測定された前記第１温度、前記第２温度および前記第３温度に基づいて前記複数の定数を算出し、算出された前記複数の定数を用いた、前記深部温度の演算式による演算によって、前記被測定体の深部温度を算出する、
ことを特徴とする温度測定装置。
【請求項４】
請求項３記載の温度測定装置であって、
前記第１温度は、前記第２温度を変数とし、第１の傾きと第１の切片を有する第１の１次関数によって表され、
前記第１の１次関数の前記第１の切片は、前記第３温度を変数とし、第２の傾きと第２の切片を有する第２の１次関数によって表され、
前記複数の定数は、前記第１の傾きと、前記第２の傾きと、前記第２の切片に相当し、
第１測定で得られた前記第１温度をＴｂ１とし、前記第２温度をＴｐ１とし、前記第３温度をＴｏｕｔ１とし、
第２測定で得られた前記第１温度をＴｂ２とし、前記第２温度をＴｐ２とし、前記第３温度をＴｏｕｔ２とし、
第３測定で得られた前記第１温度をＴｂ３とし、前記第２温度をＴｐ３とし、前記第３温度をＴｏｕｔ３としたとき、
前記演算部は、前記第１測定で得られた前記第１温度Ｔｂ１、前記第２温度Ｔｐ１および前記第３温度Ｔｏｕｔ１と、前記第２測定で得られた前記第１温度Ｔｂ２、前記第２温度Ｔｐ２および前記第３温度Ｔｏｕｔ２と、前記第３測定で得られた前記第１温度Ｔｂ３、前記第２温度Ｔｐ３および前記第３温度Ｔｏｕｔ３と、に基づいて、前記第１の傾きと、前記第２の傾きと、前記第２の切片の値を算出し、算出された前記第１の傾きと、前記第２の傾きと、前記第２の切片の値を用いた、前記深部温度の演算式による演算によって、前記被測定体の深部温度を算出する、
ことを特徴とする温度測定装置。
【請求項５】
請求項４記載の温度測定装置であって、
前記演算部は、
前記第１の傾きをａとし、前記第２の傾きをｃとし、前記第２の切片をｄとしたとき、前記ａ，ｃ，ｄの値を、
【数１９】
2012098038.tif 000001
によって算出し、
前記演算部は、
前記深部温度Ｔｃを、
【数２０】
2012098038.tif 000002
によって表される、前記深部温度の演算式としての第１算出式によって算出する、
ことを特徴とする温度測定装置。
【請求項６】
請求項１又は２に記載の温度測定装置であって、
第１測定で得られた前記第１温度をＴｂ１とし、前記第２温度をＴｐ１とし、前記第３温度をＴｏｕｔ１とし、
第２測定で得られた前記第１温度をＴｂ２とし、前記第２温度をＴｐ２とし、前記第３温度をＴｏｕｔ２とし、かつ、前記Ｔｏｕｔ２の値が前記Ｔｏｕｔ１とは異なる値であるとき、
前記演算部は、前記第１測定で得られた前記第１温度Ｔｂ１および前記第２温度Ｔｐ１と、前記第２測定で得られた前記第１温度Ｔｂ２および前記第２温度Ｔｐ２と、を用いて、前記深部温度の演算式としての第２算出式による演算を実行して、前記深部温度Ｔｃを算出し、
前記第２算出式は、
【数２１】
2012098038.tif 000003
によって表される、
ことを特徴とする温度測定装置。
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
基材と、
前記基材の外表面上または内部の第１測定点における第１温度を測定するための第１温度センサーと、
前記基材の外表面上または内部であって、かつ前記第１測定点とは異なる第２測定点における第２温度を測定するための第２温度センサーと、
前記基材の外表面上または内部であって、かつ前記第１測定点および前記第２測定点とは異なる第３測定点における第３温度を測定するための第３温度センサーと、
演算部と、
を備え、
前記演算部が、前記第１温度、前記第２温度および前記第３温度に基づいて、被測定体の深部温度を求める、
ことを特徴とする温度測定装置。
【請求項２】
請求項１記載の温度測定装置であって、
前記演算部の動作を制御する制御部を備え、
前記制御部が、複数の時間帯において前記温度の測定を実行させ、
前記演算部が、前記温度測定によって得られたデータの平均演算によって、前記各時間帯の前記第１温度、前記第２温度および前記第３温度を決定し、前記決定された各時間帯の前記第１温度、前記第２温度および前記第３温度を用いて、前記深部温度を求める、
ことを特徴とする温度測定装置。
【請求項３】
請求項１記載の温度測定装置であって、
前記第３温度を変化させることができる第３温度調整部をさらに備え、
前記制御部が、前記第１温度センサー、前記第２温度センサーおよび前記第３温度センサーによる１回の測定が終了する毎に、前記第３温度調整部によって前記第３温度を変化させる、
ことを特徴とする温度測定装置。
【請求項４】
請求項１記載の温度測定装置であって、
前記温度測定を実行するタイミングを決めるタイミング制御情報を入力するタイミング制御情報入力部をさらに備え、
前記制御部が、前記タイミング制御情報が入力される毎に、前記温度測定を実行させる、
ことを特徴とする温度測定装置。
【請求項５】
請求項１〜４のいずれか一項に記載の温度測定装置であって、
前記演算部は、測定された前記第１温度、前記第２温度および、前記第３温度に基づいて、当該第１〜第３温度の関係を規定する関数の定数を算出し、当該定数を用いた前記深部温度の演算式に基づき、前記深部温度を算出することを特徴とする温度測定装置。
【請求項６】
請求項５記載の温度測定装置であって、
前記第１温度は、前記第２温度を変数とし、第１の傾きと第１の切片を有する第１の１次関数によって表され、
前記第１の切片は、前記第３温度を変数とし、第２の傾きと第２の切片を有する第２の１次関数によって表され、
前記定数は、前記第１の傾きと、前記第２の傾きと、前記第２の切片とに相当し、
前記演算部は、
第１測定で得られた前記第１温度をＴｂ１とし、前記第２温度をＴｐ１とし、前記第３温度をＴｏｕｔ１’とし、
第２測定で得られた前記第１温度をＴｂ２とし、前記第２温度をＴｐ２とし、前記第３温度をＴｏｕｔ２’とし、
第３測定で得られた前記第１温度をＴｂ３とし、前記第２温度をＴｐ３とし、前記第３温度をＴｏｕｔ３’として、
前記第１測定で得られた前記第１温度Ｔｂ１、前記第２温度Ｔｐ１および前記第３温度Ｔｏｕｔ１’と、前記第２測定で得られた前記第１温度Ｔｂ２、前記第２温度Ｔｐ２および前記第３温度Ｔｏｕｔ２’と、前記第３測定で得られた前記第１温度Ｔｂ３、前記第２温度Ｔｐ３および前記第３温度Ｔｏｕｔ３’と、に基づいて、前記第１の傾きと、前記第２の傾きと、前記第２の切片の値とを算出し、算出された前記第１の傾きと、前記第２の傾きと、前記第２の切片の値とを用いた前記演算式に基づき、前記深部温度を算出する、
ことを特徴とする温度測定装置。
【請求項７】
請求項６記載の温度測定装置であって、
前記演算部は、
前記第１の傾きａと、前記第２の傾きｃと、前記第２の切片ｄとを、
【数１９】
2012098039.tif 000001
によって算出し、
前記深部温度Ｔｃを、
【数２０】
2012098039.tif 000002
によって表される前記演算式に基づいて算出する、
ことを特徴とする温度測定装置。
【請求項８】
請求項１記載の温度測定装置であって、
前記演算部は、
第１測定で得られた前記第１温度をＴｂ１とし、前記第２温度をＴｐ１とし、前記第３温度をＴｏｕｔ１’とし、
第２測定で得られた前記第１温度をＴｂ２とし、前記第２温度をＴｐ２とし、前記第３温度をＴｏｕｔ２’として、
前記第１測定で得られた前記第１温度Ｔｂ１および前記第２温度Ｔｐ１と、前記第２測定で得られた前記第１温度Ｔｂ２および前記第２温度Ｔｐ２とを用いた前記深部温度の演算式に基づき、前記深部温度Ｔｃを算出し、
前記演算式は、
【数２１】
2012098039.tif 000003
によって表されることを特徴とする温度測定装置。
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
第１基材ならびに第２基材と、
前記第１基材の外表面上、または前記第１基材の内部に位置する第１測定点における第１温度を測定する第１温度センサーと、
前記第１基材の外表面上、または前記第１基材の内部に位置し、かつ、前記第１測定点とは異なる第２測定点における第２温度を測定する第２温度センサーと、
前記第２基材の外表面上、または前記第２基材の内部に位置する第３測定点における第３温度を測定する第３温度センサーと、
前記第２基材の外表面上、または前記第２基材の内部に位置し、かつ、前記第３測定点とは異なる第４測定点における第４温度を測定する第４温度センサーと、
前記第１基材および前記第２基材の少なくとも一方に設けられる熱流制御部と、
前記第１基材および前記第２基材の周囲の温度を第５温度として取得する周囲温度取得部と、
制御部と、
前記第１温度、前記第２温度、前記第３温度、前記第４温度、ならびに前記第５温度を用いて、被測定体の深部温度を求める演算部と、
を備える温度測定装置。
【請求項２】
請求項１記載の温度測定装置であって、
前記熱流制御部は、前記第１温度、前記第２温度、前記第３温度および前記第４温度の測定の時間帯を、複数の時間帯に分割し、前記第１温度センサー、前記第２温度センサー、前記第３温度センサーおよび前記第４温度センサーに、一つの時間帯毎に所定間隔で複数回の温度測定を実行させ、
前記演算部は、
前記複数回の測定によって得られた複数の温度データを用いた平均演算によって、一つの時間帯毎に、前記第１温度、前記第２温度、前記第３温度および前記第４温度を決定し、
前記一つの時間帯毎に決定された前記第１温度、前記第２温度、前記第３温度および前記第４温度を用いて、前記深部温度の演算式による演算を実行して、前記被測定体の深部温度を求めることを特徴とする温度測定装置。
【請求項３】
請求項１記載の温度測定装置であって、
前記周囲の温度を変化させることができる環境温度調整部を有し、
前記制御部は、前記第１温度センサー、前記第２温度センサー、前記第３温度センサーおよび前記第４温度センサーに、前記複数回の測定を実行させるとき、１回の測定が終了する毎に、前記環境温度調整部によって前記周囲の温度を変化させることを特徴とする温度測定装置。
【請求項４】
請求項１記載の温度測定装置であって、
前記第１温度センサーおよび前記第２温度センサーが、前記複数回の測定を実行するタイミングを決めるタイミング制御情報を入力するタイミング制御情報入力部を有し、
前記制御部は、タイミング制御情報入力部から前記タイミング制御情報が入力される毎に、前記第１温度センサー、前記第２温度センサー、前記第３温度センサーおよび前記第４温度センサーに温度測定を実行させることを特徴とする温度測定装置。
【請求項５】
請求項１〜４のいずれか一項に記載の温度測定装置であって、
前記第１温度は、前記第２温度を変数とし、第１の傾きと第１の切片を有する第１の１次関数によって表され、
前記第１の１次関数の前記第１の切片は、前記第５温度を変数とし、第２の傾きと第２の切片を有する第２の１次関数によって表され、
前記第４温度は、前記第３温度を変数とし、第３の傾きと第３の切片を有する第３の１次関数によって表され、
前記第３の１次関数の前記第３の切片は、前記第５温度を変数とし、第４の傾きと第４の切片を有する第４の１次関数によって表され、
前記第１の傾きおよび前記第３の傾きをａとし、前記第２の傾きおよび前記第４の傾きをｃとし、前記第２の切片および前記第４の切片をｄとし、
前記第５温度がＴｏｕｔ１のときの、前記第１温度をＴｂ１、前記第２温度をＴｐ１、前記第３温度をＴｂ２、前記第４温度をＴｐ２とし、
前記第５温度がＴｏｕｔ２のときの、前記第１温度をＴｂ３、前記第２温度をＴｐ３、前記第３温度をＴｂ４、前記第４温度をＴｐ４としたとき、
前記演算部は、
以下の式（９ａ）〜式（９ｄ）のいずれか１つを用いて、前記ａ，ｃ，ｄを算出し、
【数１７】
2012098040.tif 000001
前記深部温度Ｔｃを、
【数１８】
2012098040.tif 000002
によって表される、前記深部温度の演算式によって算出することを特徴とする温度測定装置。
【請求項６】
請求項１〜４のいずれか一項に記載の温度測定装置であって、
前記第１温度は、前記第２温度を変数とし、第１の傾きと第１の切片を有する第１の１次関数によって表され、
前記第１の１次関数の前記第１の切片は、前記第５温度を変数とし、第２の傾きと第２の切片を有する第２の１次関数によって表され、
前記第４温度は、前記第３温度を変数とし、第３の傾きと第３の切片を有する第３の１次関数によって表され、
前記第３の１次関数の前記第３の切片は、前記第５温度を変数とし、第４の傾きと第４の切片を有する第４の１次関数によって表され、
前記第５温度がＴｏｕｔ１のときの、前記第１温度をＴｂ１、前記第２温度をＴｐ１、前記第３温度をＴｂ２、前記第４温度をＴｐ２とし、
前記第５温度がＴｏｕｔ２のときの、前記第１温度をＴｂ３、前記第２温度をＴｐ３、前記第３温度をＴｂ４、前記第４温度をＴｐ４とし、
前記第５温度がＴｏｕｔ１のときの、前記第１の傾きおよび前記第３の傾きをａ１とし、前記第１の切片および前記第３の切片をｂ１とし、
前記第５温度がＴｏｕｔ２のときの、前記第１の傾きおよび前記第３の傾きをａ２とし、前記第１の切片および前記第３の切片をｂ２とし、
前記第５温度がＴｏｕｔ１およびＴｏｕｔ２であるときの、前記第２の傾きおよび前記第４の傾きをｃとし、前記第２の切片および前記第４の切片をｄとしたとき、
前記演算部は、
前記ａ１，ｂ１を、以下の式（１０ａ）に基づいて算出し、
前記ａ２，ｂ２を、以下の式（１０ｂ）に基づいて算出し、
前記ｃ，ｄを、以下の式（１０ｃ）に基づいて算出し、
【数１９】
2012098040.tif 000003
前記ａ１、前記ａ２、あるいは前記ａ１と前記ａ２とを平均して得られるａ３、のいずれか１つをａとし、
前記深部温度Ｔｃを、
【数２０】
2012098040.tif 000004
によって表される、前記深部温度の演算式によって算出することを特徴とする温度測定装置。
【請求項７】
請求項１〜６のいずれか一項に記載の温度測定装置であって、
第１ユニットと、前記第１ユニットとは別体の第２ユニットを有し、
前記第１ユニットは、前記第１〜第４温度センサーと、前記周囲温度取得部と、第１無線通信部と、を含み、
前記第２ユニットは、前記演算部と、前記制御部と、第２無線通信部とを含み、
前記第１温度の情報、前記第２温度の情報、前記第３温度の情報、前記第４温度の情報および前記第５温度の情報は、前記第１無線通信部から前記第２無線通信部に送信されることを特徴とする温度測定装置。
【請求項８】
請求項１〜７のいずれか一項に記載の温度測定装置であって、
前記第１基材および前記第２基材に、前記被測定体の表面に貼付する貼付構造を有することを特徴とする温度測定装置。